(57)【要約】【課題】録画処理に関するユーザの利便性を向上させることができる放送記録装置を提供する。【解決手段】制限容量を有した第１記憶領域Aにコンテンツデータを書き込むとともに、前記制限容量を超えた場合には古いコンテンツデータを削除して、空いている記憶領域から新たなコンテンツデータを書き込む第１書込手段４２と、前記第１記憶領域に書き込まれたコンテンツデータを第２記憶領域に複製する第２書込手段４２と、前記第１書込手段４２による当該コンテンツデータの削除開始までの第１の時間が、前記第２書込手段４２によるコンテンツデータの複製に要する第２の時間より短いか否か判別する判別手段３０と、前記判別手段の判別結果に応じて、前記第２書込手段に対して、前記第１の時間が前記第２の時間より長いコンテンツデータの複製は許可し、前記第１の時間が前記第２の時間より短いコンテンツデータの複製は禁止する制御手段３０とを具備する。【選択図】図８
2010259091.tif 000002
【特許請求の範囲】
【請求項１】
第１記憶部からデータを順次削除する削除手段と、
前記第１記憶部の空き領域から新たなデータを書き込む第１書込手段と、
前記第１記憶部のデータを第２記憶部に書き込む第２書込手段と、
現時点から所定時間経過するまでに前記削除手段によって削除される前記第１記憶部のデータに対し、前記第２書込手段による書き込みを制限する制御手段と、
を具備することを特徴とする制御装置。
【請求項２】
第１記憶部のデータを順次更新する更新手段と、
前記第１記憶部のデータを第２記憶部に書き込む書込手段と、
前記第１記憶部のデータが現時点から所定時間経過するまでに前記書込手段による前記第２記憶部への書き込みが完了するか否か判別する判別手段と、
前記判別手段により、前記現時点から所定時間経過するまでに前記書込手段による前記第２記憶部への書き込みが完了すると判別されたデータに対応する画像を指定可能に表示部に表示させる表示手段と、
を具備することを特徴とする表示装置。
【請求項３】
前記第１記憶部から前記第２記憶部へ書き込むデータの指定入力を受ける入力手段と、
現時点から所定時間経過するまでに前記更新手段により更新される前記第１記憶部のデータを、前記入力手段で指定される対象から外す制御手段と、
を更に具備することを特徴とする請求項２記載の表示装置。
【請求項４】
前記第１記憶部のデータは、放送コンテンツデータであることを特徴とする請求項２記載の表示装置。
【請求項５】
第１記憶部のデータを順次更新する更新手段と、
前記第１記憶部のデータを第２記憶部に書き込む書込手段と、
現時点から所定時間経過するまでに前記更新手段により更新される前記第１記憶部のデータに対し、前記書込手段による書き込みを制限する制御手段と、
を具備することを特徴とする制御装置。
【請求項６】
前記第１記憶部から前記第２記憶部へ書き込むデータの指定入力を受ける入力手段を更に具備し、
前記制御手段は、現時点から所定時間経過するまでに前記更新手段により更新される前記第１記憶部のデータを、前記入力手段で指定される対象から外すことを特徴とする請求項５記載の制御装置。
【請求項７】
前記第１記憶部のデータに対応した映像を指定可能に表示装置に表示させる表示手段を更に有し、
前記書込手段は、前記入力手段で受ける、前記表示装置に表示された前記映像の指定入力に伴い、該指定された映像に対応したデータを前記第２記憶部へ書き込むことを特徴とする請求項６記載の制御装置。
【請求項８】
前記制御手段は、現時点から所定時間経過するまでに前記更新手段により更新される前記第１記憶部のデータを、前記表示手段によって指定不可能に前記表示装置に表示させることを特徴とする請求項７記載の制御装置。
【請求項９】
前記所定時間は、前記更新手段による前記第１記憶部のデータ更新開始までの時間を含むことを特徴とする請求項５記載の制御装置。
【請求項１０】
前記第１記憶部のデータは、放送コンテンツデータであることを特徴とする請求項５記載の制御装置。
【請求項１１】
第１記憶部のデータを順次更新する更新手段と、
前記第１記憶部のデータを第２記憶部に書き込む書込手段と、
前記第１記憶部のデータのうち、所定時間経過するまでに前記更新手段により更新されるデータに対応する画像と他のデータに対応する画像とを識別可能に表示部に表示させる表示手段と、
を具備することを特徴とする表示装置。
【請求項１２】
前記第１記憶部のデータは、放送コンテンツデータであることを特徴とする請求項１１記載の表示装置。
【請求項１３】
第１記憶部のデータを順次更新する更新手段と、
前記第１記憶部のデータを第２記憶部に書き込む書込手段と、
現時点から所定時間経過するまでに前記更新手段により更新される前記第１記憶部のデータに対し、前記書込手段による書き込みを制限する制御手段と、
を具備することを特徴とする電子機器。
【請求項１４】
前記第１記憶部のデータは、放送コンテンツデータであることを特徴とする請求項１３記載の電子機器。
【請求項１５】
表示画面を有した表示部と、
第１記憶部のデータを順次更新する更新手段と、
前記第１記憶部のデータを第２記憶部に書き込む書込手段と、
現時点から所定時間経過するまでに前記更新手段により更新される前記第１記憶部のデータに対し、前記書込手段による書き込みを制限する制御手段と、
を具備することを特徴とするテレビジョン放送受信装置。
【請求項１６】
前記第１記憶部のデータは、放送コンテンツデータであることを特徴とする請求項１５記載のテレビジョン放送受信装置。
【発明の詳細な説明】
【技術分野】
【０００１】
本発明は、制御装置、表示装置、電子機器およびテレビジョン放送受信装置に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、簡易な操作によって予約録画等が可能となるため、より多くの映像音声情報が記憶領域に記憶されることとなる。従って、単に一つのハードディスクに放送コンテンツデータを記録するというだけでなく、ユーザの番組の視聴の仕方に応じて、様々なハードディスクへの録画方法が有効となる。
【０００３】
特許文献１においては、複数のハードディスクドライブを設け、一方のハードディスクドライブで一定時間内の繰り返し録画である番組コンテンツデータの上書き記録を行い、他方のハードディスクドライブでこの上書き記録した番組コンテンツデータを長期保存するための保存録画を行なう記録再生装置を開示している。
【先行技術文献】
【特許文献】
【０００４】
【特許文献１】特開２００２−１４２１７７公報
【発明の概要】
【発明が解決しようとする課題】
【０００５】
しかし、上記した従来技術においては、一時録画領域にループ録画された放送コンテンツデータに対して、保存領域へのコピー処理が指示されると、一時録画領域に記録途中の放送コンテンツデータを保存領域へのコピー処理が行なわれる。しかし、このとき、更にループ録画が行なわれる場合もあり、ループ録画の進行によっては、コピー処理中の放送コンテンツデータが、コピー処理がまだ完了していないにもかかわらず削除されてしまい、利便性が悪い。
【０００６】
本発明は、録画処理に関するユーザの利便性を向上させることができる制御装置、表示装置、電子機器およびテレビジョン放送受信装置を提供することを目的とする。
【課題を解決するための手段】
【０００７】
本発明は、第１記憶部からデータを順次削除する削除手段と、第１記憶部の空き領域から新たなデータを書き込む第１書込手段と、第１記憶部のデータを第２記憶部に書き込む第２書込手段と、現時点から所定時間経過するまでに削除手段によって削除される第１記憶部のデータに対し、前記第２書込手段による書き込みを制限する制御手段と、を具備することを特徴とする。
【発明の効果】
【０００８】
録画処理に関するユーザの利便性を向上させることができる。
【図面の簡単な説明】
【０００９】
【図１】本発明の一実施形態に係る放送記録装置の構成の一例を示すブロック図である。
【図２】本発明の一実施形態に係る放送記録装置の他の構成の一例を示すブロック図である。
【図３】本発明の一実施形態に係る放送記録装置の他の構成の一例を示すブロック図である。
【図４】本発明の一実施形態に係る放送記録装置の他の構成の一例を示すブロック図である。
【図５】本実施例の放送記録装置を操作するためのリモコン装置の一例を示す説明図である。
【図６】本実施例の放送記録装置の保存録画処理の一例を示す説明図である。
【図７】本実施例の放送記録装置の保存録画処理の一例を示すフローチャートである。
【図８】過去に録画された放送コンテンツデータのリストを過去の電子番組表形式で示した例である。
【図９】過去の電子番組表形式で示した放送コンテンツデータのリストの中で複数の保存録画対象が選定された場合の例である。
【図１０】本実施例の放送記録装置の保存録画処理の一例を示すフローチャートである。
【図１１】本実施例の放送記録装置のリスト表示対象となるコンテンツデータを示す説明図である。
【図１２】過去に録画された放送コンテンツデータのリストを過去の電子番組表形式で示した他の表示例である。
【発明を実施するための形態】
【００１０】
以下、この発明の実施の形態について図面を参照して詳細に説明する。
すなわち、図１は、本発明の一実施形態に係る放送記録装置の構成の一例を示すブロック図、図２乃至図４は、本発明の一実施形態に係る放送記録装置の他の構成の一例を示すブロック図である。
【００１１】
＜本発明の一実施形態に係る放送記録装置＞
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【００１２】
従って、以下の図１を用いた実施形態の説明においては、記録機能をもったデジタルテレビジョンとして詳細に説明を行なうが、図１からモニタ４１を分離することで、全く同様の機能をもったハードディスクレコーダとしての説明と解釈することが可能である。
【００１３】
図１において、デジタルテレビジョンである放送記録装置１０は、ハードディスクドライブ１８を有しており、このハードディスクドライブ１８は、いわゆるループ録画に用いられる一時記録領域Ａと、保存記録に用いられる保存領域Ｂをもっている。又、制御部３０は、全体の動作を司るべくデータバスDＢを介して各部に接続されている。
【００１４】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）アナログチューナ部１２と、いわゆる地上波アナログチューナ部１３と、衛星放送（ＢＳ／ＣＳ）デジタルチューナ部１４と、いわゆる地上波デジタルチューナ部１５とが接続され、エンコーダ部２１に信号を出力する。又、ＢＳ／ＣＳアナログチューナ部１２には衛星アンテナが、地上波アナログチューナ部１３には地上波アンテナが、ＢＳ／ＣＳデジタルチューナ部１４には衛星アンテナが、地上波デジタルチューナ部１５には地上波アンテナが接続されている。
【００１５】
又、放送記録装置１０は、エンコーダ部２１と、エンコーダ部２１の出力を受け、データ編集等の所望のデータ処理を行うデータ編集部２０、データ編集部２０に接続され、ループ録画のための一時記録領域Ａと保存録画のための保存領域Ｂとをもつハードディスクドライブ１８を有している。更に、放送記録装置１０は、ハードディスクドライブ１８からの信号を受けてデコードするＭＰＥＧデコーダ部２３と、エンコーダ部２１、バッファ部２２、ＭＰＥＧデコーダ部２３、多重化部２８、分離部２９、制御部３０、ループ録画・保存録画制御部３４、予約録画部４３を有している。これらの各部は、データバスDＢを介して制御部３０に接続されている。更に、セレクタ部１７の出力は、モニタ４１に供給されるか、外部装置との通信を行うインタフェース部２７を介して、外部装置に供給される。
【００１６】
更に、放送記録装置１０は、データバスDＢを介して制御部３０に接続され、ユーザの操作やリモート・コントローラR（以下、リモコンＲと称する）の操作を受ける操作部３２を有している。ここで、リモコンＲは、放送記録装置１０の本体に設けられる操作部３２とほぼ同等の操作を可能とするものであり、ハードディスクドライブの記録再生指示や、編集指示、又、チューナの操作、予約録画の設定等、各種設定が可能である。
【００１７】
又、図２に示すように、本発明の一実施形態に係る放送記録装置１０の一時記録領域Ａと保存領域Ｂとは、独立したハードディスクドライブ１８ａ，１９に設けられている場合も好適である。又、図３に示すように、本発明の一実施形態に係る放送記録装置１０のハードディスクドライブ１８ｂは、インタフェース２５を介して着脱可能な外付けハードディスクドライブであることも好適である。更に、図４に示すように、内蔵のハードディスクドライブ１８に加えて、更に外付けのハードディスクドライブ４４を設け、保存領域Ｂをここに設けることも好適である。
【００１８】
（基本動作）
・放送コンテンツデータ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳアナログチューナ１２、地上波アナログチューナ部１３、ＢＳ／ＣＳデジタルチューナ１４又は地上波デジタルチューナ部１５からの放送コンテンツデータをモニタ４１に表示する。
【００１９】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツデータ情報等をダウンロードしたりする。又、ＢＳ／ＣＳアナログチューナ部１２、地上波アナログチューナ部１３、ＢＳ／ＣＳデジタルチューナ１４、地上波デジタルチューナ部１５は、アンテナを介して放送信号を選局し復調して映像信号及び音声信号を入力する。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００２０】
又、先の通信部１１は、ＩＥＥＥ１３９４インタフェースであってもよく、ネットワーク上の外部機器からデジタルコンテンツデータを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００２１】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２２】
又、ＢＳ／ＣＳアナログチューナ１２等は、必ずしも内蔵されている必要はなく、データ入力端子を介して外付けされて、受信したデジタル信号を、セレクタ部１６を介してエンコーダ部２１や制御部３０に供給することも好適である。
【００２３】
ここで図１の装置は、エンコーダ部２１でエンコードされた情報（ビデオ、オーディオ、副映像データなどのパック）及び作成された管理情報を、又はデジタル情報をエンコードすることなく、制御部３０を介してハードディスクドライブ１８，１９に供給し記録することができる。なお、ＢＳ／ＣＳアナログチューナ部１２、地上波アナログチューナ部１３は、ここから出力される放送コンテンツデータをエンコーダ部２１でエンコードして、ハードディスクドライブ１８等に記録する。又、ＢＳ／ＣＳデジタルチューナ１４、地上波デジタルチューナ部１５の場合は、出力された放送コンテンツデータは複数チャンネル分の放送コンテンツデータを含んでおり、分離部２９により所望のチャンネルの放送コンテンツデータを分離し、更に、多重化部２８により、複数チャンネル分の管理情報を分離した所望のチャンネル用の管理信号に書き換えるべく管理情報を多重処理する。又、アナログチューナ部からの放送コンテンツデータのようなエンコーダ部でのエンコード処理を行なうことなく、多重処理された放送コンテンツデータをそのままハードディスクドライブ１８等に記録するものである。
【００２４】
データ編集部２０により、ハードディスクドライブ１８等に記録されている複数番組の放送コンテンツデータを、一部削除したり、異なる番組のオブジェクトをつなげたり、といった編集処理を行うこともできる。
【００２５】
・再生処理等
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２６】
ＭＰＥＧデコーダ部２３の出力音声映像信号は音声映像処理部２４に出力される。音声映像処理部２４は、ＭＰＥＧデコーダ部２３からの出力音声映像信号にＥＰＧ等の映像を付加処理することで再生映像を生成する。当該再生映像は、セレクタ部１７を介してモニタ４１に表示される。セレクタ部１７は、制御部３０からのセレクト信号により制御される。これによりセレクタ部１７は、各チューナ部１２，１３，１４，１５からのデジタル信号を直接モニタする時、エンコーダ部２１をスルーした信号を直接選択することも可能である。
【００２７】
・予約録画処理
次に、予約録画処理について説明する。本実施例の予約録画部４３では、通信部１１等から取得した電子番組情報に基づきユーザがリモコンＲ等の操作で特定した番組に応じた録画予約処理を実行する。また、本実施例では、録画を実行するための予約録画情報を例えば一時記憶領域A等に記憶する。予約録画部４３は、記憶された予約録画情報を参照することで、ＢＳ／ＣＳアナログチューナ部１２、地上波アナログチューナ部１３、ＢＳ／ＣＳデジタルチューナ部１４、および地上波デジタルチューナ部１５で受信した放送コンテンツデータを、予約時刻にハードディスクドライブ１９等に記録する。
【００２８】
この実施形態の放送記録装置１０は、このように総合的な機能を有しており、複数のソースに対して、ハードディスクドライブ１８等に対する記録・再生処理を行うものである。又、ハードディスクドライブ１８等の他に、データ編集部２０等に図示しない光ディスクドライブを接続して、同様に記録・再生処理を行なうことも好適である。
【００２９】
＜本発明の一実施形態であるループ録画及び保存録画処理＞
次に、本発明の一実施形態であるループ録画及び保存録画処理を、図面を参照しながら以下に詳細に説明する。
（ループ録画と保存録画）
初めに、本実施例におけるループ録画と保存録画の概要を説明する。
ループ録画とは、例えば、ＢＳ／ＣＳアナログチューナ部１２からの放送コンテンツデータをハードディスクドライブ１８の一時記憶領域Ａに書き込み、記憶するものであり、例えば所定の制限容量や制限時間の範囲でこの一時記憶領域Ａに連続的に録画する方法である。ここで、書き込んだ容量が制限容量を超えた場合や録画時間が制限時間を越えた場合は、一時記憶領域Ａに書き込まれた古いコンテンツデータから削除し、空いている記憶領域から新たなコンテンツデータを書き込む録画を行なっていき、これにより記憶容量の節約を行ないながら放送コンテンツデータの録画・再生処理を行う機能である。
【００３０】
しかしながら、ループ録画では、録画したが再生をしないままに、その後の他の放送コンテンツデータの録画により、放送コンテンツデータが上書きされ削除されてしまうという不具合がある。従って、このような場合を回避するために保存領域Ｂを用いる。具体的には、ループ録画中の放送コンテンツデータを対象として、又は、ループ録画を完了した放送コンテンツデータを対象として、放送コンテンツデータの保存領域Ｂへのコピー処理（又は移動処理）を行なうことにより、放送コンテンツデータを長期的に保存することができる。
【００３１】
しかし、一時録画領域に記録途中の放送コンテンツデータを保存領域へのコピー処理が行なわれる際に、更にループ録画が行なわれる場合もあり、ループ録画の進行によってはコピー処理中の放送コンテンツデータが、コピー処理がまだ完了していないにもかかわらず、削除されてしまうという不具合がある。例えば、このような状況下では、ユーザは保存対象の放送コンテンツデータにおける保存領域Ｂへのコピー処理が可能か否か事前に把握することができず、録画実行中或いは録画終了後に初めてコピー処理が不可であったことを理解し、利便性が悪い。
【００３２】
このような不具合等を回避し、録画処理に関する利便性を向上するべく、以下のようなフローチャート等で特定される実施形態を行なうことが好適となる。ここでは、図５、図６、及び図７を参照しながら、本実施例の録画に関する処理を説明する。
【００３３】
図５は、放送記録装置を操作するためのリモコン装置の一例を示す説明図である。図６は、同じく放送記録装置の保存録画処理の一例を示す説明図である。図７は、同じく放送記録装置の保存録画処理の一例を示すフローチャートである。
【００３４】
本実施形態は、放送コンテンツデータの一時記録領域Ａへの録画処理中に、この一時記録領域Ａ内の所定コンテンツデータを保存領域Ｂにコピー又は移動等の保存録画処理を行う場合、この保存録画処理が、当該所定コンテンツデータがループ録画によって削除されるまでに完了するか否か判別することにより、保存対象の放送コンテンツデータにおける保存領域Ｂへの保存録画処理が可能か否か、ユーザに事前に把握させる機能を有した放送記録装置である。
【００３５】
すなわち、本発明の一実施形態の放送記録再生装置１０においては、例えば、地上波アナログチューナ部１２等からの放送コンテンツデータを音声映像処理部２４で生成した再生映像をモニタ４１に表示している状態で、ユーザがリモコンのループ録画スイッチ５１を押下することで、ループ録画が行なわれる（ステップＳ１１）。
【００３６】
制御部３０及びループ録画・保存録画制御部３４は、ループ録画スイッチ５１からの操作信号を受けると、地上波チューナ部１３等からの放送コンテンツデータをエンコーダ部２１に供給し、エンコーダ部２１によりエンコードされた放送コンテンツデータは、データ編集部２０を介して、ハードディスクドライブ１８の一時記憶領域Ａに記録される（ステップＳ１２）。
【００３７】
ここで、本実施例の放送記録再生装置１０では、例えば制御部３０によって一時記憶領域Ａに記録された各放送コンテンツデータにおける削除開始されるまで時間と、当該各放送コンテンツデータにおける保存領域Ｂへの保存録画処理に要する時間とを算出する。具体的に、例えば制御部３０は、一時記憶領域Ａに記録された各放送コンテンツデータの録画時間、ビットレート、及びコンテンツデータのコピー又は移動時の転送レート等の情報から、各放送コンテンツデータにおける削除開始されるまでの時間と、各放送コンテンツデータにおけるコピー又は移動等の保存録画処理の完了までに要する時間とを算出する（ステップＳ１３）。
【００３８】
更に、ここで、ユーザによりリモコンの保存録画スイッチ５２が押下されると（ステップＳ１４）、制御部３０は、Ｓ１３で算出した一時記憶領域Ａに記録された各放送コンテンツデータにおける削除開始されるまで時間と、当該各放送コンテンツデータにおける保存領域Ｂへの保存録画処理に要する時間とを参照することにより、Ｓ１４で保存録画対象として選定された放送コンテンツデータが、保存録画処理が完了するまでに削除されてしまう放送コンテンツデータであるか否かを判別する（ステップＳ１５）。尚、ここでは、リモコンの保存録画スイッチ５２押下前に放送コンテンツデータにおける保存録画処理の完了までに要する時間を算出する場合を示したが、これに限らず、リモコンの保存録画スイッチ５２押下に伴い算出しても良いものとする。尚この場合は、現時点から判断して何時までの時間的余裕があるのかを算出するとともにユーザに通知する構成を備えるものとする。例えば後１０秒以内に保存を開始すれば間に合うかを示した情報を通知することでユーザは所望のコンテンツデータについて保存開始のタイミングを計ることができる。
【００３９】
ここで、制御部３０は、保存録画対象として選定された放送コンテンツデータの少なくとも一部が、保存録画処理が完了するまでに削除されてしまう放送コンテンツデータであると判別した場合は（Ｓ１５のＹｅｓ）、この旨を表示画面等の出力手段を介して通知するとともに、当該コンテンツデータの保存録画処理を無効にする（Ｓ１６）。尚、ここで保存録画処理の無効とは、放送コンテンツデータに関する保存領域Ｂへの保存録画処理を禁止することを示す。
【００４０】
また、Ｓ１５の処理において制御部３０は、保存録画対象として選定された放送コンテンツデータの少なくとも一部が、保存録画処理が完了するまでに削除されてしまう放送コンテンツデータではないと判別した場合（Ｓ１５のＹｅｓ）、この旨を表示画面等の出力手段を介して通知するとともに、当該コンテンツデータを保存領域Ｂに保存（コピー又は移動）する（ステップＳ１７）。
【００４１】
又、リモコンの保存録画スイッチ５２が押下されずストップスイッチ５３が押下されると（ステップＳ１８）、そこでループ録画は終了となる。
これにより、本実施例では、保存録画処理の対象となった放送コンテンツデータが、削除されるまで保存を完了させることが可能なコンテンツデータであるか否か事前に判別することにより、当該放送コンテンツデータが現在のループ録画による削除される前に保存ができるコンテンツデータであるか否かをユーザに通知することができ、ユーザの利便性向上を実現する。例えば通知を受けたユーザは、保存録画処理をするときに、ループ録画を継続しながら保存録画処理できるのか、それともループ録画を中止しなければ保存録画処理できないかを保存録画処理を実行する前に知ることができる。
【００４２】
また、本実施例では、保存録画処理の対象となった放送コンテンツデータが、削除されるまで保存を完了させることが可能なコンテンツデータではないと判断した場合、当該コンテンツデータに関する保存領域Ｂへの保存録画処理を禁止する代わりに、ループ録画処理を中断させる機能を備える。この機能により、ユーザが現在ループ録画中のコンテンツデータより重要と考えるコンテンツデータの保存を優先することができる。また、本実施例では、或いはループ録画処理及び保存領域Ｂへの保存録画処理の何れか一方をユーザに選択させる機能を備えてもよい。
【００４３】
尚、ここでは、リモコンの保存録画スイッチ５２の押下に伴い、保存録画対象として選定された放送コンテンツデータが、保存録画処理が完了するまでに削除されてしまう放送コンテンツデータであるか否かを判別する場合を示したが、これに限らず、リモコンの保存録画スイッチ５２の押下前であって電子番組表等型式で表示したタイミングで判別を行っても良い。このような構成によれば、ユーザはループ録画中に、現在一時記憶領域Ａ内に保存録画処理が完了するまでに削除されてしまう放送コンテンツデータを一覧することができる。
【００４４】
以下では、判別結果を過去の電子番組表形式に示した場合の構成例を図８及び図９を参照しながら示す。図８は、複数のチャンネルを同時にループ録画した場合における、過去に録画された放送コンテンツデータのリスト４１０を過去の電子番組表形式で示した例である。図９は、過去の電子番組表形式で示した放送コンテンツデータのリスト４１０の中で、複数の保存録画対象４２１、４２２が選定された場合の例である。図１０は、本実施例の放送記録装置の保存録画処理の一例を示すフローチャートである。
【００４５】
図８に示すように、本実施形態では、過去に録画された放送コンテンツデータのリスト４１０を過去の電子番組表形式で示すことで、一時保存領域Ａ内の放送コンテンツデータが、現在のループ録画における保存録画処理が完了するまでに削除されてしまう放送コンテンツデータであるか否か示す。本実施例の放送記録装置では、例えば過去にループ録画されて一時記憶領域Ａに書き込まれた放送コンテンツデータを、番組表を過去方向に伸長させたＧＵＩの録画リストとして表示させるとともに、アクセス可能に示す。
【００４６】
先ず、ユーザがリモコンのループ録画スイッチ５１を押下することで、ループ録画が行なわれる（ステップＳ２０１）。
次に、制御部３０及びループ録画・保存録画制御部４２は、ループ録画スイッチ５１からの操作信号を受けると、地上波チューナ部１３等からの放送コンテンツデータをエンコーダ部２１に供給し、エンコーダ部２１によりエンコードされた放送コンテンツデータは、データ編集部２０を介して一時記憶領域Ａに記録される（ステップＳ２０２）。
【００４７】
ここで、リモコン等から録画リスト表示指示を受けると（ステップS２０３）、本実施例の放送記録再生装置１０では、例えば制御部３０によって一時記憶領域Ａに記録された各放送コンテンツデータにおける削除開始されるまで時間と、当該各放送コンテンツデータにおける保存領域Ｂへの保存録画処理に要する時間とを算出する（ステップＳ２０４）。
【００４８】
次に、制御部３０は、各放送コンテンツデータにおける削除開始されるまで時間と、当該各放送コンテンツデータにおける保存領域Ｂへの保存録画処理に要する時間とを参照することにより、録画リスト４１０に表示された各放送コンテンツデータが、保存録画処理が完了するまでに削除されてしまう放送コンテンツデータであるか否かを其々判別する（ステップＳ２０５）。
【００４９】
そして、本実施例では、一時記憶領域Ａ内の放送コンテンツデータであって既に一部が削除されているコンテンツデータ４２０を示す。例えば本実施例では、例えば図８に示すように番組表の一部をトーンダウンさせる。次に、保存録画処理が完了するまでに削除されてしまう放送コンテンツデータを同様にトーンダウンさせて示す（ステップＳ２０６）。本実施では、トーンダウンして示された放送コンテンツデータについては、保存録画処理として選択不可（保存不可）となるようにする。
【００５０】
更にここで、ユーザによりリモコンの保存録画スイッチ５２が押下されると（S２０７）、制御部３０は、保存録画対象として放送コンテンツデータが複数選択されたか否か判別する（ステップＳ２０８）。
【００５１】
ステップＳ２０８において、保存録画対象として放送コンテンツデータが複数選択された場合（ステップＳ２０８のＹｅｓ）、１つ目のコンテンツデータが選択された時点で、当該コンテンツデータの保存録画処理にかかる時間を加算して、他の放送コンテンツデータは保存録画処理が完了するまでに削除されてしまうか否か改めて判別する。このとき、保存録画処理の順序を変更すれば削除が開始される前に保存録画処理が完了するか否かについても各放送コンテンツデータで判別し、最適な順序を調整する（ステップＳ２０９）。例えば、図９に示すように保存録画処理対象として、放送コンテンツデータ４２１ａの次に放送コンテンツデータ４２１ｂが選択された場合、保存録画処理に長い時間を要する放送コンテンツデータ４２１ａを先に保存してしまうと、放送コンテンツデータ４２１ｂについては保存録画処理が完了するまでに削除されてしまう可能性がある。本実施例では、このような状況を防ぐために削除が開始されるまでの時間・コンテンツデータの容量等を考慮し、保存の優先順位を適宜決定する。例えば、放送コンテンツデータ４２１ａと比べて保存録画処理にかかる時間が短い放送コンテンツデータ４２１ｂを優先して保存開始すれば、放送コンテンツデータ４２１ａ及び放送コンテンツデータ４２１ｂともに削除前に保存を完了させることができる。このように本実施例では、保存録画処理対象が複数選択された場合、保存録画処理の順序を変更すれば削除が開始される前に保存録画処理が完了するか否かについても放送コンテンツデータ毎に判別することで、最適な順序を決定することができる。
【００５２】
次に制御部３０は、保存録画対象として選定された放送コンテンツデータを保存領域Ｂに保存する（ステップＳ２１０）。そして、リモコンの保存録画スイッチ５２が押下されずストップスイッチ５３が押下されると（ステップＳ２１１）、そこでループ録画は終了となる。
【００５３】
尚ここでは、番組表の一部をトーンダウンさせることで、一時記憶領域Ａ内の放送コンテンツデータであって既に一部が削除されているものを示したが、保存録画処理が完了するまでに削除されてしまう放送コンテンツデータを示す手段については、これに限らない。例えば、予め所定のマージン（所定時間・所定容量）を設定した上で、録画リストの表示時には、一時記憶領域Ａ内に書き込まれた各放送コンテンツデータのうち、古い順に上記所定のマージンに含まれる放送コンテンツデータの表示を行わないようにしても良い。この手段について、図１１及び図１２を参照しながら説明する。
【００５４】
図１１は、本実施例の放送記録装置のリスト表示対象となるコンテンツデータを示す説明図である。図１２は、過去に録画された放送コンテンツデータのリストを過去の電子番組表形式で示した表示例である。
【００５５】
図１１に示すように、ここでは所定のマージンを予め定めておく。当該マージンは時間や容量等で設定することができる。そして、ループ録画における上書きが実行されている時点（記憶領域）から上記マージン内に納まるコンテンツデータに関しては録画リスト４１０に表示させず、その他のコンテンツデータを表示させる。具体的には、図１２に示すように、予め保存対象とならないコンテンツデータを録画リスト４１０に表示させず、保存対象となるもののみ表示させる。尚ここでは、上記マージン内に一部が納まるコンテンツデータに関しては、現時点では保存が可能であることを示すために斜線４３１で表示させた場合を示したが、表示形態はこれに限らない。
【００５６】
このような構成にすることで、ユーザには予め保存対象とならないコンテンツデータの存在を意識させず、保存対象となるもののみを直感的に把握させることができる。
【００５７】
これにより、本実施例では、保存録画処理の対象となった放送コンテンツデータが、削除されるまで保存を完了させることが可能なコンテンツデータであるか否か事前に判別することにより、当該放送コンテンツデータが現在のループ録画による削除される前に保存ができるコンテンツデータであるか否かをユーザに一覧を表示することで通知でき、ユーザの利便性向上を実現する。
【００５８】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００５９】
１１…通信部
１２…ＢＳ／ＣＳアナログチューナ部
１３…地上波アナログチューナ部
１４…ＢＳ／ＣＳデジタルチューナ部
１５…地上波デジタルチューナ部
１８…ハードディスクドライバ
２０…信号編集部
２１…エンコーダ部
２２…バッファ部
２３…ＭＰＥＧデコーダ部
２４…音声映像処理部
２６…ディスプレイ
２７…Ｉ／Ｆ部
２８…多重化部
２９…分離部
３０…制御部
３２…操作部
３３…表示部
４１…モニタ
４２…予約録画部
４３…番組表生成部。
Ｒ…リモコン
【図１】
2010259091.tif 000003
【図２】
2010259091.tif 000004
【図３】
2010259091.tif 000005
【図４】
2010259091.tif 000006
【図５】
2010259091.tif 000007
【図６】
2010259091.tif 000008
【図７】
2010259091.tif 000009
【図８】
2010259091.tif 000010
【図９】
2010259091.tif 000011
【図１０】
2010259091.tif 000012
【図１１】
2010259091.tif 000013
【図１２】
2010259091.tif 000014